(57)【要約】【課題】複数の画像表示装置で共有する画像を容易に変更することが可能な画像表示システム、画像表示装置及び画像表示システムの制御方法を提供する。【解決手段】プロジェクター１ａ，１ｂ，１ｃを備えた画像表示システム１００において、プロジェクター１ａは、第１の画像を表示するとともに、第１の画像に対応する第１の画像情報をプロジェクター１ｂ，１ｃに送信する。プロジェクター１ｂ，１ｃは、第１の画像情報に基づいて第１の画像を表示する。また、プロジェクター１ｂは、第１の画像を表示しているときに画像ソースを切り替える指示を受け付けた場合に、第２の画像を表示するとともに、第２の画像に対応する第２の画像情報をプロジェクター１ａ，１ｃに送信する。プロジェクター１ａ，１ｃは、第２の画像情報に基づいて第２の画像を表示する。【選択図】図１
2019201375.tif 000002
【特許請求の範囲】
【請求項１】
第１の画像表示装置及び第２の画像表示装置を備えた画像表示システムであって、
前記第１の画像表示装置は、
第１の画像を表示する第１の表示部と、
前記第１の画像に対応する第１の画像情報を前記第２の画像表示装置に送信する第１の通信部と、
前記第１の表示部及び前記第１の通信部の動作を制御する第１の制御部と、を有し、
前記第２の画像表示装置は、
前記第１の画像情報を受信する第２の通信部と、
前記第１の画像情報に基づいて、前記第１の画像を表示する第２の表示部と、
前記第２の表示部及び前記第２の通信部の動作を制御する第２の制御部と、
画像ソースを切り替える指示を受け付ける受付部と、を有し、
前記第２の表示部が前記第１の画像を表示しているときに前記受付部が前記指示を受け付けた場合に、前記第２の制御部は、前記第２の表示部に第２の画像を表示させるとともに、前記第２の通信部から前記第１の画像表示装置に対して、前記第２の画像に対応する第２の画像情報を送信させ、
前記第１の通信部は、前記第２の画像情報を受信し、
前記第１の制御部は、前記第２の画像情報に基づいて前記第１の表示部に前記第２の画像を表示させることを特徴とする画像表示システム。
【請求項２】
請求項１に記載の画像表示システムであって、
前記第２の表示部が前記第１の画像を表示しているときに前記受付部が前記指示を受け付けた場合に、前記第２の制御部は、前記第１の画像表示装置に対して、画像情報の送信元を変更する要求を行い、前記第１の画像表示装置によって前記要求が許可された場合に、前記第２の表示部に前記第２の画像を表示させるとともに、前記第２の通信部から前記第１の画像表示装置に対して、前記第２の画像情報を送信させることを特徴とする画像表示システム。
【請求項３】
請求項２に記載の画像表示システムであって、
前記第２の制御部は、前記第１の画像表示装置によって前記要求が拒絶された場合には、前記第２の表示部に前記第１の画像の表示を継続させることを特徴とする画像表示システム。
【請求項４】
請求項１〜３のいずれか一項に記載の画像表示システムであって、
前記受付部は、前記画像ソースを切り替える前記指示として、ユーザーの入力操作を受け付けることを特徴とする画像表示システム。
【請求項５】
請求項１〜３のいずれか一項に記載の画像表示システムであって、
前記受付部は、前記第２の通信部であり、前記画像ソースを切り替える前記指示を通信により受け付けることを特徴とする画像表示システム。
【請求項６】
請求項１〜５のいずれか一項に記載の画像表示システムであって、
第３の画像表示装置をさらに備え、
前記第１の画像表示装置は、前記第１の通信部から前記第２の画像表示装置及び前記第３の画像表示装置に前記第１の画像情報を送信し、
前記第２の画像表示装置及び前記第３の画像表示装置は、前記第１の画像情報に基づいて前記第１の画像を表示し、
前記第２の画像表示装置が前記第１の画像を表示しているときに前記受付部が前記指示を受け付けた場合に、前記第２の制御部は、前記第２の表示部に前記第２の画像を表示させるとともに、前記第２の通信部から前記第１の画像表示装置及び前記第３の画像表示装置に前記第２の画像情報を送信させ、
前記第１の画像表示装置及び前記第３の画像表示装置は、前記第２の画像情報に基づいて前記第２の画像を表示することを特徴とする画像表示システム。
【請求項７】
画像表示装置であって、
他の画像表示装置から送信される第１の画像情報を受信する通信部と、
前記第１の画像情報に基づいて、第１の画像を表示する表示部と、
前記表示部及び前記通信部の動作を制御する制御部と、
画像ソースを切り替える指示を受け付ける受付部と、を有し、
前記表示部が前記第１の画像を表示しているときに前記受付部が前記指示を受け付けた場合に、前記制御部は、前記表示部に第２の画像を表示させるとともに、前記通信部から前記他の画像表示装置に対して、前記第２の画像に対応する第２の画像情報を送信させることを特徴とする画像表示装置。
【請求項８】
請求項７に記載の画像表示装置であって、
前記表示部が前記第１の画像を表示しているときに前記受付部が前記指示を受け付けた場合に、前記制御部は、前記他の画像表示装置に対して、画像情報の送信元を変更する要求を行い、前記他の画像表示装置によって前記要求が許可された場合に、前記表示部に前記第２の画像を表示させるとともに、前記通信部から前記他の画像表示装置に対して、前記第２の画像情報を送信させることを特徴とする画像表示装置。
【請求項９】
請求項８に記載の画像表示装置であって、
前記制御部は、前記他の画像表示装置によって前記要求が拒絶された場合には、前記表示部に前記第１の画像の表示を継続させることを特徴とする画像表示装置。
【請求項１０】
請求項７〜９のいずれか一項に記載の画像表示装置であって、
前記受付部は、前記画像ソースを切り替える前記指示として、ユーザーの入力操作を受け付けることを特徴とする画像表示装置。
【請求項１１】
請求項７〜９のいずれか一項に記載の画像表示装置であって、
前記受付部は、前記通信部であり、前記画像ソースを切り替える前記指示を通信により受け付けることを特徴とする画像表示装置。
【請求項１２】
第１の画像表示装置及び第２の画像表示装置を備えた画像表示システムの制御方法であって、
前記第１の画像表示装置が、第１の画像を表示するとともに、前記第１の画像に対応する第１の画像情報を前記第２の画像表示装置に送信し、
前記第２の画像表示装置が、前記第１の画像情報に基づいて前記第１の画像を表示し、
前記第２の画像表示装置が、前記第１の画像を表示しているときに画像ソースを切り替える指示を受け付けた場合に、第２の画像を表示するとともに、前記第２の画像に対応する第２の画像情報を前記第１の画像表示装置に送信し、
前記第１の画像表示装置が、前記第２の画像情報に基づいて前記第２の画像を表示することを特徴とする画像表示システムの制御方法。
【請求項１３】
請求項１２に記載の画像表示システムの制御方法であって、
前記第２の画像表示装置は、前記第１の画像を表示しているときに前記指示を受け付けた場合に、前記第１の画像表示装置に対して、画像情報の送信元を変更する要求を行い、前記第１の画像表示装置によって前記要求が許可された場合に、前記第２の画像を表示するとともに、前記第２の画像情報を前記第１の画像表示装置に送信することを特徴とする画像表示システムの制御方法。
【請求項１４】
請求項１３に記載の画像表示システムの制御方法であって、
前記第２の画像表示装置は、前記第１の画像表示装置によって前記要求が拒絶された場合には、前記第１の画像の表示を継続することを特徴とする画像表示システムの制御方法。
【請求項１５】
請求項１２〜１４のいずれか一項に記載の画像表示システムの制御方法であって、
前記第２の画像表示装置は、前記画像ソースを切り替える前記指示として、ユーザーの入力操作を受け付けることを特徴とする画像表示システムの制御方法。
【請求項１６】
請求項１２〜１４のいずれか一項に記載の画像表示システムの制御方法であって、
前記第２の画像表示装置は、前記画像ソースを切り替える前記指示を通信により受け付けることを特徴とする画像表示システムの制御方法。
【請求項１７】
請求項１２〜１６のいずれか一項に記載の画像表示システムの制御方法であって、
前記画像表示システムは、第３の画像表示装置をさらに備え、
前記第１の画像表示装置は、前記第２の画像表示装置及び前記第３の画像表示装置に前記第１の画像情報を送信し、
前記第２の画像表示装置及び前記第３の画像表示装置は、前記第１の画像情報に基づいて前記第１の画像を表示し、
前記第２の画像表示装置は、前記第１の画像を表示しているときに前記指示を受け付けた場合に、前記第２の画像を表示するとともに、前記第２の画像情報を前記第１の画像表示装置及び前記第３の画像表示装置に送信し、
前記第１の画像表示装置及び前記第３の画像表示装置は、前記第２の画像情報に基づいて前記第２の画像を表示することを特徴とする画像表示システムの制御方法。
【発明の詳細な説明】
【技術分野】
【０００１】
本発明は、画像表示システム、画像表示装置、及び画像表示システムの制御方法に関する。
【背景技術】
【０００２】
複数の画像表示装置（例えば、プロジェクター）がネットワーク等を介して接続された画像表示システムにおいて、１つの画像表示装置が表示している画像を他の画像表示装置にも表示させることにより、複数の画像表示装置で画像を共有する技術が知られている（例えば、特許文献１参照）。特許文献１に記載の会議システムでは、サーバーとなるプロジェクターは、画像ソースである端末装置から受信した画像データに応じた画像を投写するとともに、その画像データを他のプロジェクターに送信し、他のプロジェクターにも同じ画像を投写させる。
【先行技術文献】
【特許文献】
【０００３】
【特許文献１】特開２００８−１４７８４６号公報
【発明の概要】
【発明が解決しようとする課題】
【０００４】
しかしながら、上記のような画像表示システムにおいて、共有する画像を、別の画像表示装置に接続された画像ソースの画像に変更する場合には、ユーザーは、サーバーを切り替えるための操作を行うとともに、新たにサーバーとなる画像表示装置において、所望の画像ソースを選択する操作を行う必要がある。つまり、共有する画像の変更がサーバーの変更を伴う場合には、上記の２つの操作が必要となるため、ユーザーが行う手続きが煩雑であるという問題を有している。
【課題を解決するための手段】
【０００５】
本願の画像表示システムは、第１の画像表示装置及び第２の画像表示装置を備えた画像表示システムであって、前記第１の画像表示装置は、第１の画像を表示する第１の表示部と、前記第１の画像に対応する第１の画像情報を前記第２の画像表示装置に送信する第１の通信部と、前記第１の表示部及び前記第１の通信部の動作を制御する第１の制御部と、を有し、前記第２の画像表示装置は、前記第１の画像情報を受信する第２の通信部と、前記第１の画像情報に基づいて、前記第１の画像を表示する第２の表示部と、前記第２の表示部及び前記第２の通信部の動作を制御する第２の制御部と、画像ソースを切り替える指示を受け付ける受付部と、を有し、前記第２の表示部が前記第１の画像を表示しているときに前記受付部が前記指示を受け付けた場合に、前記第２の制御部は、前記第２の表示部に第２の画像を表示させるとともに、前記第２の通信部から前記第１の画像表示装置に対して、前記第２の画像に対応する第２の画像情報を送信させ、前記第１の通信部は、前記第２の画像情報を受信し、前記第１の制御部は、前記第２の画像情報に基づいて前記第１の表示部に前記第２の画像を表示させることを特徴とする。
【０００６】
上記の画像表示システムにおいて、前記第２の表示部が前記第１の画像を表示しているときに前記受付部が前記指示を受け付けた場合に、前記第２の制御部は、前記第１の画像表示装置に対して、画像情報の送信元を変更する要求を行い、前記第１の画像表示装置によって前記要求が許可された場合に、前記第２の表示部に前記第２の画像を表示させるとともに、前記第２の通信部から前記第１の画像表示装置に対して、前記第２の画像情報を送信させることが望ましい。
【０００７】
上記の画像表示システムにおいて、前記第２の制御部は、前記第１の画像表示装置によって前記要求が拒絶された場合には、前記第２の表示部に前記第１の画像の表示を継続させることが望ましい。
【０００８】
上記の画像表示システムにおいて、前記受付部は、前記画像ソースを切り替える前記指示として、ユーザーの入力操作を受け付けるようにしてもよい。
【０００９】
上記の画像表示システムにおいて、前記受付部は、前記第２の通信部であり、前記画像ソースを切り替える前記指示を通信により受け付けるようにしてもよい。
【００１０】
上記の画像表示システムにおいて、第３の画像表示装置をさらに備え、前記第１の画像表示装置は、前記第１の通信部から前記第２の画像表示装置及び前記第３の画像表示装置に前記第１の画像情報を送信し、前記第２の画像表示装置及び前記第３の画像表示装置は、前記第１の画像情報に基づいて前記第１の画像を表示し、前記第２の画像表示装置が前記第１の画像を表示しているときに前記受付部が前記指示を受け付けた場合に、前記第２の制御部は、前記第２の表示部に前記第２の画像を表示させるとともに、前記第２の通信部から前記第１の画像表示装置及び前記第３の画像表示装置に前記第２の画像情報を送信させ、前記第１の画像表示装置及び前記第３の画像表示装置は、前記第２の画像情報に基づいて前記第２の画像を表示することが望ましい。
【００１１】
本願の画像表示装置は、他の画像表示装置から送信される第１の画像情報を受信する通信部と、前記第１の画像情報に基づいて、第１の画像を表示する表示部と、前記表示部及び前記通信部の動作を制御する制御部と、画像ソースを切り替える指示を受け付ける受付部と、を有し、前記表示部が前記第１の画像を表示しているときに前記受付部が前記指示を受け付けた場合に、前記制御部は、前記表示部に第２の画像を表示させるとともに、前記通信部から前記他の画像表示装置に対して、前記第２の画像に対応する第２の画像情報を送信させることを特徴とする。
【００１２】
上記の画像表示装置において、前記表示部が前記第１の画像を表示しているときに前記受付部が前記指示を受け付けた場合に、前記制御部は、前記他の画像表示装置に対して、画像情報の送信元を変更する要求を行い、前記他の画像表示装置によって前記要求が許可された場合に、前記表示部に前記第２の画像を表示させるとともに、前記通信部から前記他の画像表示装置に対して、前記第２の画像情報を送信させることが望ましい。
【００１３】
上記の画像表示装置において、前記制御部は、前記他の画像表示装置によって前記要求が拒絶された場合には、前記表示部に前記第１の画像の表示を継続させることが望ましい。
【００１４】
上記の画像表示装置において、前記受付部は、前記画像ソースを切り替える前記指示として、ユーザーの入力操作を受け付けるようにしてもよい。
【００１５】
上記の画像表示装置において、前記受付部は、前記通信部であり、前記画像ソースを切り替える前記指示を通信により受け付けるようにしてもよい。
【００１６】
本願の画像表示システムの制御方法は、第１の画像表示装置及び第２の画像表示装置を備えた画像表示システムの制御方法であって、前記第１の画像表示装置が、第１の画像を表示するとともに、前記第１の画像に対応する第１の画像情報を前記第２の画像表示装置に送信し、前記第２の画像表示装置が、前記第１の画像情報に基づいて前記第１の画像を表示し、前記第２の画像表示装置が、前記第１の画像を表示しているときに画像ソースを切り替える指示を受け付けた場合に、第２の画像を表示するとともに、前記第２の画像に対応する第２の画像情報を前記第１の画像表示装置に送信し、前記第１の画像表示装置が、前記第２の画像情報に基づいて前記第２の画像を表示することを特徴とする。
【００１７】
上記の画像表示システムの制御方法において、前記第２の画像表示装置は、前記第１の画像を表示しているときに前記指示を受け付けた場合に、前記第１の画像表示装置に対して、画像情報の送信元を変更する要求を行い、前記第１の画像表示装置によって前記要求が許可された場合に、前記第２の画像を表示するとともに、前記第２の画像情報を前記第１の画像表示装置に送信することが望ましい。
【００１８】
上記の画像表示システムの制御方法において、前記第２の画像表示装置は、前記第１の画像表示装置によって前記要求が拒絶された場合には、前記第１の画像の表示を継続することが望ましい。
【００１９】
上記の画像表示システムの制御方法において、前記第２の画像表示装置は、前記画像ソースを切り替える前記指示として、ユーザーの入力操作を受け付けるようにしてもよい。
【００２０】
上記の画像表示システムの制御方法において、前記第２の画像表示装置は、前記画像ソースを切り替える前記指示を通信により受け付けるようにしてもよい。
【００２１】
上記の画像表示システムの制御方法において、前記画像表示システムは、第３の画像表示装置をさらに備え、前記第１の画像表示装置は、前記第２の画像表示装置及び前記第３の画像表示装置に前記第１の画像情報を送信し、前記第２の画像表示装置及び前記第３の画像表示装置は、前記第１の画像情報に基づいて前記第１の画像を表示し、前記第２の画像表示装置は、前記第１の画像を表示しているときに前記指示を受け付けた場合に、前記第２の画像を表示するとともに、前記第２の画像情報を前記第１の画像表示装置及び前記第３の画像表示装置に送信し、前記第１の画像表示装置及び前記第３の画像表示装置は、前記第２の画像情報に基づいて前記第２の画像を表示することが望ましい。
【図面の簡単な説明】
【００２２】
【図１】画像表示システムの概略構成を示す説明図。
【図２】プロジェクターの概略構成を示すブロック図。
【図３】プロジェクターに備わる画像投写部の概略構成を示すブロック図。
【図４】画像表示システムの動作を説明するための説明図。
【図５】画像表示システムの動作を説明するための説明図。
【図６】サーバープロジェクターとして機能する際のプロジェクターの動作を説明するフローチャート。
【図７】クライアントプロジェクターとして機能する際のプロジェクターの動作を説明するフローチャート。
【図８】変形例に係るプロジェクターの概略構成を示すブロック図。
【発明を実施するための形態】
【００２３】
以下、本実施形態の画像表示システムについて、図面を参照して説明する。
図１は、本実施形態の画像表示システム１００の概略構成を示す説明図である。
図１に示すように、画像表示システム１００は、ネットワークＮＷを介して互いに接続された画像表示装置としての複数のプロジェクター１を備えて構成されている。各プロジェクター１は、スクリーンや壁面等の、表示面としての投写面Ｓｐに画像を投写して表示する。図１に示した例では、画像表示システム１００は、３つのプロジェクター１、即ちプロジェクター１ａ，１ｂ，１ｃを備えている。
【００２４】
各プロジェクター１には、コンピューターや各種ビデオ機器等の外部の画像供給装置２が必要に応じて接続される。画像供給装置２は、画像情報の供給元であり、画像ソースとも呼ばれる。プロジェクター１は、接続された画像供給装置２から供給される画像情報に応じた画像を投写可能である。また、本実施形態の画像表示システム１００では、１つのプロジェクター１がネットワークＮＷを介して他のプロジェクター１に画像情報を送信することにより、すべてのプロジェクター１が同じ画像を表示することもできるようになっている。これ以降、複数のプロジェクター１が同じ画像を表示することを「画像を共有する」とも表現する。
【００２５】
なお、本実施形態では、各プロジェクター１は、互いに遠隔地に配置され、それぞれの近傍にいるユーザーによって操作される態様を想定しているが、すべてのプロジェクター１が比較的近くに配置され、一人のユーザーがすべてのプロジェクター１を操作する態様であってもよい。
【００２６】
図２は、プロジェクター１の概略構成を示すブロック図であり、図３は、プロジェクター１に備わる画像投写部１７の概略構成を示すブロック図である。
図２に示すように、プロジェクター１は、制御部１０と、記憶部１１と、入力操作部１２と、通信部１３と、画像情報入力部１４と、画像情報選択部１５と、画像情報処理部１６と、表示部としての画像投写部１７とを一体的に備えて構成されている。プロジェクター１は、画像供給装置２から画像情報入力部１４に入力される画像情報に基づいて、画像投写部１７から投写面Ｓｐに画像を投写する。
【００２７】
制御部１０は、１つ又は複数のプロセッサーを備えて構成され、記憶部１１に記憶されている制御プログラム（図示せず）に従って動作することによりプロジェクター１の動作を統括制御する。
【００２８】
記憶部１１は、ＲＡＭ（Random Access Memory）及びＲＯＭ（Read Only Memory）等のメモリーを備えて構成される。ＲＡＭは、各種データ等の一時記憶に用いられ、ＲＯＭは、プロジェクター１の動作を制御するための制御プログラムや、各種設定情報等を記憶する。また、記憶部１１には、他のプロジェクター１に接続するための接続情報（例えば、ＩＰアドレス等）が記憶されている。接続情報は、ユーザーによって設定された情報、又は自動で検出された情報である。
【００２９】
入力操作部１２は、ユーザーがプロジェクター１に対して各種指示を行うための複数の操作キーを備えている。入力操作部１２が備える操作キーとしては、電源のオンとオフ（スタンバイ）とを切り替えるための「電源キー」、各種設定を行うためのメニュー画像を表示させる「メニューキー」、メニュー画像上で項目を選択するための「方向キー」、画像ソースを選択するための「入力選択キー」等がある。ユーザーが入力操作部１２の各種操作キーを操作すると、入力操作部１２は、その操作を受け付けて、操作内容に応じた操作信号を制御部１０に出力する。なお、遠隔操作が可能なリモコン（図示せず）を、入力操作部１２として用いる構成としてもよい。この場合、リモコンは、ユーザーの操作内容に応じた赤外線の操作信号を発信し、図示しないリモコン信号受信部がこれを受信して制御部１０に伝達する。
【００３０】
通信部１３は、他のプロジェクター１等の外部の装置とネットワークＮＷを介して接続され、制御部１０の制御に基づいて、これらの装置との間で情報の送受信を行う。また、ネットワークＮＷを介して通信部１３に画像情報が入力される場合には、制御部１０は、入力された画像情報を画像情報処理部１６に出力する。通信部１３と外部の装置との接続は、有線接続に限られず、無線による接続であってもよい。
【００３１】
画像情報入力部１４は、画像供給装置２に接続するための複数の入力端子１４ａを備えて構成される。画像情報入力部１４が備える入力端子１４ａとしては、ＨＤＭＩ（登録商標）（High Definition Multimedia Interface）に対応するビデオ機器やコンピューターと接続するためのＨＤＭＩ端子、主にコンピューターからアナログＲＧＢ信号を入力するためのミニＤ−Ｓｕｂ１５ピン端子（以降、「コンピューター端子」とも呼ぶ。）、主にビデオ機器からコンポジット信号を入力するためのコンポジット端子（以降、「ビデオ端子」とも呼ぶ。）等がある。画像情報入力部１４の入力端子１４ａに入力された画像情報は、画像情報選択部１５に出力される。
【００３２】
画像情報選択部１５は、制御部１０の制御に基づいて、画像情報入力部１４に備わる入力端子１４ａの１つ又は複数を選択し、選択された入力端子１４ａに入力されている画像情報を画像情報処理部１６に出力する。なお、ネットワークＮＷを介して通信部１３に入力される画像情報に基づく画像をプロジェクター１が表示する場合には、画像情報選択部１５は、いずれの入力端子１４ａも選択せず、画像情報を出力しない。
【００３３】
画像情報処理部１６は、ＲＡＭ等によって構成されるフレームメモリー１６ａに接続されている。画像情報処理部１６は、制御部１０の制御に基づいて、画像情報選択部１５又は制御部１０から入力される画像情報を、所定の形式の画像情報に変換し、変換後の画像情報に対して様々な処理を施す。具体的には、画像情報処理部１６は、所定の形式に変換した画像情報をフレーム（画面）単位でフレームメモリー１６ａに記憶するとともに、記憶した画像情報に対して、例えば、画像の色や明るさを補正する処理や、画像の形状の歪みを補正する処理、画像上にメニュー画像やメッセージ画像等のＯＳＤ（オンスクリーンディスプレイ）画像を重畳する処理等を施す。画像情報処理部１６は、処理後の画像情報を画像投写部１７のライトバルブ駆動部２４（図３参照）に出力する。また、画像情報処理部１６は、制御部１０の制御に基づいて、フレームメモリー１６ａに記憶されている画像情報を読み出して、制御部１０に出力することができる。
【００３４】
なお、画像情報入力部１４、画像情報選択部１５及び画像情報処理部１６は、１つ又は複数のプロセッサー等によって構成されてもよいし、ＡＳＩＣ（Application Specific Integrated Circuit）やＦＰＧＡ（Field Programmable Gate Array）等の専用の処理装置を含んで構成されてもよい。
【００３５】
図３に示すように、画像投写部１７は、光源２１、光変調装置としての３つの液晶ライトバルブ２２Ｒ，２２Ｇ，２２Ｂ、投写光学系２３、ライトバルブ駆動部２４等を備えて構成される。画像投写部１７は、光源２１から射出された光を、液晶ライトバルブ２２Ｒ，２２Ｇ，２２Ｂで変調して画像光を形成し、レンズ及びミラーの少なくとも一方を含む投写光学系２３からこの画像光を投写して投写面Ｓｐに画像を表示する。画像投写部１７による画像の表示は、画像情報選択部１５及び画像情報処理部１６を介して制御部１０によって制御される。
【００３６】
光源２１は、超高圧水銀ランプやメタルハライドランプ等の放電型の光源ランプ、又は発光ダイオードや半導体レーザー等の固体光源を含んで構成されている。光源２１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ２２Ｒ，２２Ｇ，２２Ｂに入射する。
【００３７】
液晶ライトバルブ２２Ｒ，２２Ｇ，２２Ｂは、それぞれ一対の透明基板間に液晶が封入された透過型の液晶パネル等によって構成される。各液晶パネルには、マトリクス状に配列された複数の画素からなる矩形の画素領域２２ｉが形成されており、液晶に対して画素毎に駆動電圧を印加可能になっている。
【００３８】
ライトバルブ駆動部２４は、液晶ライトバルブ２２Ｒ，２２Ｇ，２２Ｂの画素領域２２ｉに画像を形成する。具体的には、ライトバルブ駆動部２４は、画像情報処理部１６から入力される画像情報に応じた駆動電圧を、画素領域２２ｉの各画素に印加し、各画素を画像情報に応じた光透過率に設定する。光源２１から射出された光は、液晶ライトバルブ２２Ｒ，２２Ｇ，２２Ｂの画素領域２２ｉを透過することによって画素毎に変調され、画像情報に応じた画像光が色光毎に形成される。形成された各色の画像光は、図示しない色合成光学系によって画素毎に合成されてカラー画像を表す画像光となり、投写光学系２３によって投写面Ｓｐに拡大投写される。この結果、投写面Ｓｐ上には、画像情報に基づく画像が表示される。
【００３９】
次に、画像表示システム１００の動作について説明する。
図４及び図５は、画像表示システム１００の動作を説明するための説明図である。
本実施形態のプロジェクター１において、ユーザーは、入力操作部１２に備わる入力選択キーを操作することによって、所望の画像ソースを選択することができる。本実施形態の入力選択キーでは、例えば、「ＨＤＭＩ」、「コンピューター」、「ビデオ」、「画面共有」の４つ選択肢を画像ソースとして選択可能になっている。この中から「ＨＤＭＩ」、「コンピューター」、又は「ビデオ」が選択された場合には、制御部１０は、それぞれに対応する入力端子１４ａであるＨＤＭＩ端子、コンピューター端子、又はビデオ端子を画像情報選択部１５に選択させ、それぞれに入力されている画像情報を画像情報処理部１６に出力させる。一方、画像ソースとして「画面共有」が選択された場合には、制御部１０は、画像情報選択部１５から画像情報を出力させず、他のプロジェクター１からネットワークＮＷを介して通信部１３に入力される画像情報を画像情報処理部１６に出力する。
【００４０】
例えば、図１に示した構成において、プロジェクター１ａの入力選択キーで「コンピューター」が選択された場合には、プロジェクター１ａは、プロジェクター１ａのコンピューター端子に接続された画像供給装置２（コンピューター）から入力される画像情報に基づいて、コンピューターのモニターに表示される画像と同じ画像を投写する。そして、ユーザーが、プロジェクター１ａに対して画面共有の開始を指示し、さらに、画像情報の送信先としてプロジェクター１ｂ，１ｃを指定すると、プロジェクター１ａは、指定されたプロジェクター１ｂ，１ｃに対して、自身が投写している画像に対応する画像情報の送信を開始する。なお、画面共有の開始の指示は、例えば、起動時に表示されるメニュー画面や、入力操作部１２のメニューキーを操作した際に表示されるメニュー画面において、画面共有を開始するための項目を選択することによって行われる。
【００４１】
ここで、他のプロジェクター１ｂ，１ｃの入力選択キーにより、画像ソースとして「画面共有」が選択されると、プロジェクター１ｂ，１ｃの制御部１０は、ネットワークＮＷを介してプロジェクター１ａから通信部１３に入力される画像情報を画像情報処理部１６に出力する。この結果、図４に示すように、プロジェクター１ａが投写している画像（以降、「第１表示画像」とも呼ぶ。）Ｐ１と同じ画像Ｐ１がプロジェクター１ｂ，１ｃからも投写される。
【００４２】
なお、これ以降、画面共有を行っている複数のプロジェクター１のうち、画像情報の送信元として、他のプロジェクター１に画像情報を送信する１つのプロジェクター１を「サーバープロジェクター」又は「サーバー」とも呼ぶ。また、画像ソースとして「画面共有」が選択されたプロジェクター１、即ちサーバープロジェクターからの画像情報を受信して、サーバープロジェクターと同じ画像を投写する他のプロジェクター１を「クライアントプロジェクター」又は「クライアント」とも呼ぶ。各プロジェクター１は、サーバープロジェクターとしても、クライアントプロジェクターとしても動作が可能であり、各プロジェクター１の記憶部１１には、現在、どのプロジェクター１がサーバープロジェクターで、どのプロジェクター１がクライアントプロジェクターであるのかを示す構成情報が記憶されている。
【００４３】
本実施形態の画像表示システム１００では、複数のプロジェクター１で画面共有を行っている際に、１つのクライアントプロジェクターに対して、入力選択キーによって画像ソースを切り替える操作を行うと、そのクライアントプロジェクターは、切り替えられた画像ソースの画像を表示するとともに、新たにサーバープロジェクターになって、この画像に対応する画像情報を他のプロジェクター１に送信する。
【００４４】
例えば、図４に示したように、プロジェクター１ａがサーバープロジェクターで、プロジェクター１ｂ，１ｃがクライアントプロジェクターである場合には、プロジェクター１ａは、自身に接続されている画像供給装置２から供給される画像情報に基づいて、第１表示画像Ｐ１を投写する。さらに、プロジェクター１ａは、第１表示画像Ｐ１に対応する画像情報をプロジェクター１ｂ，１ｃに送信する。クライアントプロジェクターであるプロジェクター１ｂ，１ｃは、送信された画像情報を受信し、この画像情報に基づいて、第１表示画像Ｐ１を投写する。つまり、３つのプロジェクター１が第１表示画像Ｐ１を共有した状態となる。
【００４５】
ここで、クライアントプロジェクターの１つであるプロジェクター１ｂに対して、ユーザーが、例えば、「画面共有」から「コンピューター」に画像ソースを切り替える操作を行うと、プロジェクター１ｂは、サーバープロジェクターであるプロジェクター１ａに対して、サーバーの変更を要求する要求コマンドを送信する。そして、プロジェクター１ａは、この要求コマンドを受信すると、クライアントプロジェクターであるプロジェクター１ｂ，１ｃに対して、サーバーの変更を通知する通知コマンドを送信する。
【００４６】
プロジェクター１ｂは、この通知コマンドを受信すると、サーバーの変更が許可されたと判断して、これ以降、サーバープロジェクターとして動作する。即ち、図５に示すように、プロジェクター１ｂは、ユーザーによって変更された画像ソースから供給される画像情報に基づいて第２表示画像Ｐ２を表示するとともに、第２表示画像Ｐ２に対応する画像情報を他のプロジェクター１ａ，１ｃに送信する。
【００４７】
それまでサーバープロジェクターであったプロジェクター１ａは、通知コマンドの送信後にクライアントプロジェクターとなり、新たなサーバープロジェクターであるプロジェクター１ｂから送信される画像情報に基づいて、第２表示画像Ｐ２を投写する。また、プロジェクター１ｃは、クライアントプロジェクターを継続するが、プロジェクター１ａからの通知コマンドに基づいて、サーバープロジェクターをプロジェクター１ａからプロジェクター１ｂに変更する処理を行い、これ以降、プロジェクター１ｂから送信される画像情報に基づいて、第２表示画像Ｐ２を投写する。つまり、３つのプロジェクター１が第２表示画像Ｐ２を共有した状態となる。なお、プロジェクター１ａによりサーバーの変更が拒絶された場合には、プロジェクター１ｂは、引き続きクライアントプロジェクターとして動作する。つまり、３つのプロジェクター１が第１表示画像Ｐ１を表示する状態が継続する。
【００４８】
図６は、プロジェクター１がサーバープロジェクターとして機能する際のプロジェクター１の動作を説明するフローチャートである。
図６に示すように、ステップＳ１０１では、サーバープロジェクターの制御部１０は、画像供給装置２から供給される画像情報に基づいて、画像投写部１７から画像を投写させる。そして、ステップＳ１０２では、制御部１０は、フレームメモリー１６ａに記憶されている画像情報であって、各種補正処理を施す前の画像情報を画像情報処理部１６から取得し、この画像情報を所定の形式の画像情報に変換した後、通信部１３からクライアントプロジェクターに向けて送信する。
【００４９】
ステップＳ１０３では、サーバープロジェクターの制御部１０は、クライアントプロジェクターからサーバープロジェクターの変更を要求する要求コマンドが送信されたか否かを判断する。そして、制御部１０は、要求コマンドが送信された場合には、ステップＳ１０４に処理を移し、要求コマンドが送信されていない場合には、ステップＳ１０１に処理を戻し、画像の投写と、画像情報の送信とを継続する。
【００５０】
クライアントプロジェクターから送信された要求コマンドを通信部１３が受信してステップＳ１０４に処理が移行した場合には、サーバープロジェクターの制御部１０は、記憶部１１に記憶されている設定情報を参照して、サーバープロジェクターを保護する保護設定がなされているか否かを判断する。保護設定とは、意図せずにサーバープロジェクターが変更されてしまうことを防ぐための設定であり、ユーザーは、サーバープロジェクターの意図しない変更を望まない場合には、メニューキーを操作した際に表示されるメニュー画面に従って所定の手続きを行うことにより、予め保護設定を行っておくことができる。制御部１０は、保護設定がなされている場合にはステップＳ１０５に処理を移し、保護設定がなされていない場合にはステップＳ１０６に処理を移す。
【００５１】
保護設定がなされていてステップＳ１０５に処理が移行した場合には、サーバープロジェクターの制御部１０は、要求コマンドを送信したクライアントプロジェクターに対して、サーバープロジェクターの変更を拒絶する拒絶コマンドを送信する。
【００５２】
一方、保護設定がなされておらずステップＳ１０６に処理が移行した場合には、サーバープロジェクターの制御部１０は、要求コマンドを送信したプロジェクター１を新たなサーバープロジェクターとし、自らをクライアントプロジェクターとして構成情報を更新する。また、ステップＳ１０７では、制御部１０は、画像ソースを「画面共有」に変更する。
【００５３】
そして、ステップＳ１０８では、制御部１０は、他のすべてのプロジェクター１に対して、サーバープロジェクターが変更になる旨を通知する通知コマンドを送信してフローを終了する。この通知コマンドには、ステップＳ１０６で更新した更新情報も含まれている。これ以降、このプロジェクター１は、クライアントプロジェクターとして動作し、新たなサーバープロジェクターから送信される画像情報に基づいて画像を投写する。
【００５４】
図７は、プロジェクター１がクライアントプロジェクターとして機能する際のプロジェクター１の動作を説明するフローチャートである。
【００５５】
図７に示すように、ステップＳ１１１では、クライアントプロジェクターの制御部１０は、サーバープロジェクターから送信される画像情報を、通信部１３を介して受信する。そして、ステップＳ１１２では、制御部１０は、受信した画像情報を画像情報処理部１６に出力し、画像投写部１７から画像情報に基づく画像を投写させる。
【００５６】
ステップＳ１１３では、クライアントプロジェクターの制御部１０は、ユーザーにより入力操作部１２の入力選択キーが操作されて、画像ソースが切り替えられたか否か、即ち「画面共有」以外の画像ソースが選択されたか否かを判断する。そして、制御部１０は、画像ソースが「画面共有」以外の画像ソースに切り替えられた場合には、ステップＳ１１４に処理を移し、選択されている画像ソースが「画面共有」のまま変更がなければ、ステップＳ１１８に処理を移す。
【００５７】
画像ソースが切り替えられてステップＳ１１４に処理が移行した場合には、クライアントプロジェクターの制御部１０は、現在のサーバープロジェクターに対して、サーバープロジェクターの変更を要求する要求コマンドを送信する。
【００５８】
ステップＳ１１５では、クライアントプロジェクターの制御部１０は、サーバープロジェクターから通知コマンドが送信されたか否かを判断する。そして、制御部１０は、通知コマンドを受信した場合には、ステップＳ１１６に処理を移し、拒絶コマンドを受信した場合には、ステップＳ１１７に処理を移す。
【００５９】
通知コマンドを受信してステップＳ１１６に処理が移行した場合には、クライアントプロジェクターの制御部１０は、サーバープロジェクターへの変更が許可されたものと判断し、自らをサーバープロジェクターとし、他のプロジェクター１をクライアントプロジェクターとして構成情報を更新し、フローを終了する。これ以降、このプロジェクター１は、サーバープロジェクターとして動作し、クライアントプロジェクターに対して画像情報の送信を開始する。
【００６０】
拒絶コマンドを受信してステップＳ１１７に処理が移行した場合には、クライアントプロジェクターの制御部１０は、画像ソースの切り替えをキャンセルして、画像ソースを「画面共有」に戻す。そして、制御部１０は、ステップＳ１１１に処理を戻し、クライアントプロジェクターとして動作を継続する。つまり、制御部１０は、サーバープロジェクターからの画像情報に基づく画像を、引き続き画像投写部１７から投写させる。
【００６１】
ステップＳ１１３において画像ソースの変更がなくステップＳ１１８に処理が移行した場合には、クライアントプロジェクターの制御部１０は、サーバープロジェクターから通知コマンドが送信されたか否かを判断する。なお、自ら要求コマンドを送信していないにも拘らずに通知コマンドが送信されるのは、他のクライアントプロジェクターがサーバープロジェクターに要求コマンドを送信し、それが許可された場合である。制御部１０は、通知コマンドを受信した場合には、ステップＳ１１９に処理を移し、通知コマンドを受信していない場合には、ステップＳ１１１に処理を戻して、画像情報の受信と、画像の投写とを継続する。
【００６２】
通知コマンドを受信してステップＳ１１９に処理が移行した場合には、クライアントプロジェクターの制御部１０は、通知コマンドに含まれる構成情報に基づいて、自らの更新情報も更新し、ステップＳ１１１に処理を戻す。そして、これ以降、このプロジェクター１は、新たなサーバープロジェクターから送信される画像情報に基づいて、画像を投写する。
【００６３】
以上説明したように、本実施形態の画像表示システム１００、プロジェクター１及びそれらの制御方法によれば、以下の効果を得ることができる。
【００６４】
（１）本実施形態によれば、サーバープロジェクターから送信される画像情報に基づいて画像を投写するクライアントプロジェクターにおいて、入力選択キーが操作されて画像ソースの切り替えが指示されると、このクライアントプロジェクターは、新たにサーバープロジェクターとなり、切り替え後の画像ソースの画像を他のプロジェクター１と共有する状態となる。つまり、ユーザーがクライアントプロジェクターの入力選択キーを操作することにより、サーバープロジェクターの変更と、共有する画像の変更の両方が行われるため、ユーザーの手続きが容易になる。
【００６５】
（２）本実施形態によれば、クライアントプロジェクターは、入力選択キーが操作されると、現在のサーバープロジェクターに対して、サーバープロジェクターの変更を要求し、この要求が許可された場合に、サーバープロジェクターとなって他のプロジェクター１に画像情報を送信する。このため、それまでサーバープロジェクターであったプロジェクター１の表示内容が、意図せずに切り替わってしまうことを抑制することが可能となる。
【００６６】
（３）本実施形態によれば、クライアントプロジェクターは、入力選択キーが操作された場合であっても、サーバープロジェクターを変更する要求が拒絶された場合には、それまで表示していた画像の表示を継続させるため、各プロジェクター１が同じ画像を共有する状態を維持することが可能となる。
（４）本実施形態によれば、クライアントプロジェクターの入力選択キーを操作することによって画像ソースを切り替える構成であるため、ユーザーは、共有する画像を容易に変更することが可能となる。
【００６７】
なお、上記実施形態において、サーバープロジェクターとして動作しているプロジェクター１ａを第１の画像表示装置とすると、クライアントプロジェクターであるプロジェクター１ｂが第２の画像表示装置に相当し、もう一方のクライアントプロジェクターであるプロジェクター１ｃが第３の画像表示装置に相当する。このとき、プロジェクター１ａの制御部１０、通信部１３及び画像投写部１７は、それぞれ第１の制御部、第１の通信部及び第１の表示部に相当し、プロジェクター１ｂの制御部１０、通信部１３及び画像投写部１７は、それぞれ第２の制御部、第２の通信部及び第２の表示部に相当する。また、第１表示画像Ｐ１が第１の画像に相当し、第１表示画像Ｐ１に対応する画像情報が第１の画像情報に相当する。また、第２表示画像Ｐ２が第２の画像に相当し、第２表示画像Ｐ２に対応する画像情報が第２の画像情報に相当する。また、入力操作部１２の入力選択キーが受付部に相当し、ユーザーによる入力選択キーの操作が「画像ソースを切り替える指示」に相当する。
【００６８】
（変形例）
また、上記実施形態は、以下のように変更してもよい。
【００６９】
上記実施形態において、入力選択キーによって画像ソースを切り替える態様は、入力選択キーが操作される毎に、画像ソースを順次切り替える態様であってもよい。また、入力選択キーが操作された場合に、画像ソースのリストをＯＳＤ画像として表示し、リストの中から所望の画像ソースをユーザーに選択させるようにしてもよい。また、異なる画像ソースに対応する複数の入力選択キーを入力操作部１２に配置して、操作された入力選択キーに対応する画像ソースに切り替える態様であってもよい。また、投写面Ｓｐ上でなされたユーザーの操作を検出して、操作の位置に応じた動作を行うインタラクティブ機能をプロジェクター１が有している場合には、インタラクティブ機能によって画像ソースを切り替えるようにしてもよい。
【００７０】
また、入力端子１４ａへの画像情報の入力が開始された場合に画像ソースを切り替える態様としてもよい。例えば、図８に示すように、各入力端子１４ａへの画像情報の入力を検出する画像情報検出部１８をさらに備えるようにして、制御部１０が、画像情報検出部１８の検出結果に基づいて、画像情報の入力が検出された入力端子１４ａを画像情報選択部１５に選択させるようにしてもよい。この場合には、画像供給装置２からの画像情報の出力を開始させる操作、又は、画像情報を出力している画像供給装置２を入力端子１４ａに接続する操作が、「画像ソースを切り替える指示」に相当する。
【００７１】
また、上記実施形態では、次にサーバープロジェクターにすべきプロジェクター１の入力選択キーを操作して、このプロジェクター１の画像ソースを切り替えることによってサーバープロジェクターを変更する態様について説明したが、この態様に限定されない。例えば、ネットワークＮＷを介して接続されている他のプロジェクター１や、ネットワークＮＷを介して接続されている図示しない制御装置等によって画像ソースを切り替えられるようにしてもよい。具体的には、図４に示したように、プロジェクター１ａがサーバープロジェクターで、プロジェクター１ｂ，１ｃがクライアントプロジェクターである場合に、プロジェクター１ａ又はプロジェクター１ｃが、入力操作部１２に対するユーザーの入力操作に基づいて、画像ソースを切り替えるための制御コマンドを、ネットワークＮＷを介してプロジェクター１ｂに送信するようにしてもよい。そして、プロジェクター１ｂは、送信された制御コマンドを通信部１３で受信し、受信した制御コマンドに基づいて画像ソースを切り替える。この構成によれば、次にサーバープロジェクターにすべきプロジェクター１以外の装置からサーバープロジェクターを切り替えるための指示を行うことが可能となる。なお、この場合には、画像ソースを切り替えるための制御コマンドが「画像ソースを切り替える指示」に相当し、制御コマンドを受信する通信部１３が受付部に相当する。
【００７２】
上記実施形態では、クライアントプロジェクターは、画像ソースの切り替え操作に応じてサーバープロジェクターに要求コマンドを送信し、それが拒絶された場合には、画像ソースの切り替えをキャンセルし、クライアントプロジェクターとして画面共有を継続するようにしているが、この態様に限定されない。例えば、クライアントプロジェクターは、要求コマンドが拒絶された場合には、画面共有を終了して、切り替え後の画像ソースの画像を表示するようにしてもよい。
【００７３】
上記実施形態では、画像表示システム１００が３つのプロジェクター１を備えた例を示したが、プロジェクター１の数は３つに限定されず、２つでも４つ以上であってもよい。
【００７４】
上記実施形態では、光変調装置として、透過型の液晶ライトバルブ２２Ｒ，２２Ｇ，２２Ｂを用いているが、反射型の液晶ライトバルブ等、反射型の光変調装置を用いることも可能である。また、入射した光の射出方向を、画素としてのマイクロミラー毎に制御することにより、光源２１から射出された光を変調するデジタルミラーデバイス等を用いることもできる。また、色光別に複数の光変調装置を備える構成に限定されず、１つの光変調装置で複数の色光を時分割で変調する構成としてもよい。
【００７５】
上記実施形態では、画像表示装置の例として、プロジェクター１について説明したが、画像表示装置はプロジェクター１に限定されず、液晶ディスプレイや有機ＥＬディスプレイ等、他の画像表示装置であってもよい。
【００７６】
以下に、実施形態から導き出される内容を記載する。
【００７７】
画像表示システムは、第１の画像表示装置及び第２の画像表示装置を備えた画像表示システムであって、前記第１の画像表示装置は、第１の画像を表示する第１の表示部と、前記第１の画像に対応する第１の画像情報を前記第２の画像表示装置に送信する第１の通信部と、前記第１の表示部及び前記第１の通信部の動作を制御する第１の制御部と、を有し、前記第２の画像表示装置は、前記第１の画像情報を受信する第２の通信部と、前記第１の画像情報に基づいて、前記第１の画像を表示する第２の表示部と、前記第２の表示部及び前記第２の通信部の動作を制御する第２の制御部と、画像ソースを切り替える指示を受け付ける受付部と、を有し、前記第２の表示部が前記第１の画像を表示しているときに前記受付部が前記指示を受け付けた場合に、前記第２の制御部は、前記第２の表示部に第２の画像を表示させるとともに、前記第２の通信部から前記第１の画像表示装置に対して、前記第２の画像に対応する第２の画像情報を送信させ、前記第１の通信部は、前記第２の画像情報を受信し、前記第１の制御部は、前記第２の画像情報に基づいて前記第１の表示部に前記第２の画像を表示させることを特徴とする。
【００７８】
この構成によれば、画像表示システムは、第２の画像表示装置の受付部が画像ソースを切り替える指示を受け付けた場合に、第１の画像表示装置から送信される第１の画像情報に基づいて第１の画像を共有する状態から、第２の画像表示装置から送信される第２の画像情報に基づいて第２の画像を共有する状態に切り替わる。つまり、ユーザーが第２の画像表示装置の画像ソースを切り替える操作を行うことにより、画像情報の送信元の変更と、共有する画像の変更の両方が行われるため、ユーザーの手続きが容易になる。
【００７９】
上記の画像表示システムにおいて、前記第２の表示部が前記第１の画像を表示しているときに前記受付部が前記指示を受け付けた場合に、前記第２の制御部は、前記第１の画像表示装置に対して、画像情報の送信元を変更する要求を行い、前記第１の画像表示装置によって前記要求が許可された場合に、前記第２の表示部に前記第２の画像を表示させるとともに、前記第２の通信部から前記第１の画像表示装置に対して、前記第２の画像情報を送信させることが望ましい。
【００８０】
この構成によれば、第２の画像表示装置は、画像ソースを切り替える指示を受け付けた場合に、第１の画像表示装置に送信元の変更を要求し、この要求が許可された場合に第１の画像表示装置に第２の画像情報を送信する。このため、第１の画像表示装置の表示内容が、意図せずに第２の画像に切り替わってしまうことを抑制することが可能となる。
【００８１】
上記の画像表示システムにおいて、前記第２の制御部は、前記第１の画像表示装置によって前記要求が拒絶された場合には、前記第２の表示部に前記第１の画像の表示を継続させることが望ましい。
【００８２】
この構成によれば、第２の画像表示装置は、画像ソースを切り替える指示を受け付けた場合であっても、送信元を変更する要求が第１の画像表示装置によって拒絶された場合には、第１の画像の表示を継続させるため、第１の画像表示装置及び第２の画像表示装置が同じ画像を共有する状態を維持することが可能となる。
【００８３】
上記の画像表示システムにおいて、前記受付部は、前記画像ソースを切り替える前記指示として、ユーザーの入力操作を受け付けるようにしてもよい。
【００８４】
この構成によれば、ユーザーは、第２の画像表示装置に対して、画像ソースを切り替える入力操作を行うことにより、共有する画像を容易に変更することが可能となる。
【００８５】
上記の画像表示システムにおいて、前記受付部は、前記第２の通信部であり、前記画像ソースを切り替える前記指示を通信により受け付けるようにしてもよい。
【００８６】
この構成によれば、画像ソースを切り替える指示を第２の通信部が受け付けるため、第２の通信部を介して第２の画像表示装置と通信が可能な外部の装置（例えば、第１の画像表示装置）から指示を行うことが可能となる。
【００８７】
上記の画像表示システムにおいて、第３の画像表示装置をさらに備え、前記第１の画像表示装置は、前記第１の通信部から前記第２の画像表示装置及び前記第３の画像表示装置に前記第１の画像情報を送信し、前記第２の画像表示装置及び前記第３の画像表示装置は、前記第１の画像情報に基づいて前記第１の画像を表示し、前記第２の画像表示装置が前記第１の画像を表示しているときに前記受付部が前記指示を受け付けた場合に、前記第２の制御部は、前記第２の表示部に前記第２の画像を表示させるとともに、前記第２の通信部から前記第１の画像表示装置及び前記第３の画像表示装置に前記第２の画像情報を送信させ、前記第１の画像表示装置及び前記第３の画像表示装置は、前記第２の画像情報に基づいて前記第２の画像を表示することが望ましい。
【００８８】
この構成によれば、３台の画像表示装置で画像を共有している場合でも、共有する画像を容易に変更することが可能となる。
【００８９】
画像表示装置は、他の画像表示装置から送信される第１の画像情報を受信する通信部と、前記第１の画像情報に基づいて、第１の画像を表示する表示部と、前記表示部及び前記通信部の動作を制御する制御部と、画像ソースを切り替える指示を受け付ける受付部と、を有し、前記表示部が前記第１の画像を表示しているときに前記受付部が前記指示を受け付けた場合に、前記制御部は、前記表示部に第２の画像を表示させるとともに、前記通信部から前記他の画像表示装置に対して、前記第２の画像に対応する第２の画像情報を送信させることを特徴とする。
【００９０】
この構成によれば、受付部が画像ソースを切り替える指示を受け付けた場合に、他の画像表示装置から送信される第１の画像情報に基づいて第１の画像を共有する状態から、自身が送信する第２の画像情報に基づいて第２の画像を共有する状態に切り替わる。つまり、ユーザーが画像ソースを切り替える操作を行うことにより、画像情報の送信元の変更と、共有する画像の変更の両方が行われるため、ユーザーの手続きが容易になる。
【００９１】
上記の画像表示装置において、前記表示部が前記第１の画像を表示しているときに前記受付部が前記指示を受け付けた場合に、前記制御部は、前記他の画像表示装置に対して、画像情報の送信元を変更する要求を行い、前記他の画像表示装置によって前記要求が許可された場合に、前記表示部に前記第２の画像を表示させるとともに、前記通信部から前記他の画像表示装置に対して、前記第２の画像情報を送信させることが望ましい。
【００９２】
この構成によれば、画像表示装置は、画像ソースを切り替える指示を受け付けた場合に、他の画像表示装置に送信元の変更を要求し、この要求が許可された場合に他の画像表示装置に第２の画像情報を送信する。このため、他の画像表示装置の表示内容が、意図せずに第２の画像に切り替わってしまうことを抑制することが可能となる。
【００９３】
上記の画像表示装置において、前記制御部は、前記他の画像表示装置によって前記要求が拒絶された場合には、前記表示部に前記第１の画像の表示を継続させることが望ましい。
【００９４】
この構成によれば、画像表示装置は、画像ソースを切り替える指示を受け付けた場合であっても、送信元を変更する要求が他の画像表示装置によって拒絶された場合には、第１の画像の表示を継続するため、他の画像表示装置と同じ画像を共有する状態を維持することが可能となる。
【００９５】
上記の画像表示装置において、前記受付部は、前記画像ソースを切り替える前記指示として、ユーザーの入力操作を受け付けるようにしてもよい。
【００９６】
この構成によれば、ユーザーは、画像表示装置に対して、画像ソースを切り替える入力操作を行うことにより、共有する画像を容易に変更することが可能となる。
【００９７】
上記の画像表示装置において、前記受付部は、前記通信部であり、前記画像ソースを切り替える前記指示を通信により受け付けるようにしてもよい。
【００９８】
この構成によれば、画像ソースを切り替える指示を通信部が受け付けるため、通信部を介して通信が可能な外部の装置（例えば、他の画像表示装置）から指示を行うことが可能となる。
【００９９】
画像表示システムの制御方法は、第１の画像表示装置及び第２の画像表示装置を備えた画像表示システムの制御方法であって、前記第１の画像表示装置が、第１の画像を表示するとともに、前記第１の画像に対応する第１の画像情報を前記第２の画像表示装置に送信し、前記第２の画像表示装置が、前記第１の画像情報に基づいて前記第１の画像を表示し、前記第２の画像表示装置が、前記第１の画像を表示しているときに画像ソースを切り替える指示を受け付けた場合に、第２の画像を表示するとともに、前記第２の画像に対応する第２の画像情報を前記第１の画像表示装置に送信し、前記第１の画像表示装置が、前記第２の画像情報に基づいて前記第２の画像を表示することを特徴とする。
【０１００】
この構成によれば、画像表示システムは、第２の画像表示装置が画像ソースを切り替える指示を受け付けた場合に、第１の画像表示装置から送信される第１の画像情報に基づいて第１の画像を共有する状態から、第２の画像表示装置から送信される第２の画像情報に基づいて第２の画像を共有する状態に切り替わる。つまり、ユーザーが第２の画像表示装置の画像ソースを切り替える操作を行うことにより、画像情報の送信元の変更と、共有する画像の変更の両方が行われるため、ユーザーの手続きが容易になる。
【０１０１】
上記の画像表示システムの制御方法において、前記第２の画像表示装置は、前記第１の画像を表示しているときに前記指示を受け付けた場合に、前記第１の画像表示装置に対して、画像情報の送信元を変更する要求を行い、前記第１の画像表示装置によって前記要求が許可された場合に、前記第２の画像を表示するとともに、前記第２の画像情報を前記第１の画像表示装置に送信することが望ましい。
【０１０２】
この構成によれば、第２の画像表示装置は、画像ソースを切り替える指示を受け付けた場合に、第１の画像表示装置に送信元の変更を要求し、この要求が許可された場合に第１の画像表示装置に第２の画像情報を送信する。このため、第１の画像表示装置の表示内容が、意図せずに第２の画像に切り替わってしまうことを抑制することが可能となる。
【０１０３】
上記の画像表示システムの制御方法において、前記第２の画像表示装置は、前記第１の画像表示装置によって前記要求が拒絶された場合には、前記第１の画像の表示を継続することが望ましい。
【０１０４】
この構成によれば、第２の画像表示装置は、画像ソースを切り替える指示を受け付けた場合であっても、送信元を変更する要求が第１の画像表示装置によって拒絶された場合には、第１の画像の表示を継続するため、第１の画像表示装置及び第２の画像表示装置が同じ画像を共有する状態を維持することが可能となる。
【０１０５】
上記の画像表示システムの制御方法において、前記第２の画像表示装置は、前記画像ソースを切り替える前記指示として、ユーザーの入力操作を受け付けるようにしてもよい。
【０１０６】
この構成によれば、ユーザーは、第２の画像表示装置に対して、画像ソースを切り替える入力操作を行うことにより、共有する画像を容易に変更することが可能となる。
【０１０７】
上記の画像表示システムの制御方法において、前記第２の画像表示装置は、前記画像ソースを切り替える前記指示を通信により受け付けるようにしてもよい。
【０１０８】
この構成によれば、画像ソースを切り替える指示を通信によって受け付けるため、第２の画像表示装置と通信が可能な外部の装置（例えば、第１の画像表示装置）から指示を行うことが可能となる。
【０１０９】
上記の画像表示システムの制御方法において、前記画像表示システムは、第３の画像表示装置をさらに備え、前記第１の画像表示装置は、前記第２の画像表示装置及び前記第３の画像表示装置に前記第１の画像情報を送信し、前記第２の画像表示装置及び前記第３の画像表示装置は、前記第１の画像情報に基づいて前記第１の画像を表示し、前記第２の画像表示装置は、前記第１の画像を表示しているときに前記指示を受け付けた場合に、前記第２の画像を表示するとともに、前記第２の画像情報を前記第１の画像表示装置及び前記第３の画像表示装置に送信し、前記第１の画像表示装置及び前記第３の画像表示装置は、前記第２の画像情報に基づいて前記第２の画像を表示することが望ましい。
【０１１０】
この構成によれば、３台の画像表示装置で画像を共有している場合でも、共有する画像を容易に変更することが可能となる。
【符号の説明】
【０１１１】
１，１ａ，１ｂ，１ｃ…プロジェクター、２…画像供給装置、１０…制御部、１１…記憶部、１２…入力操作部、１３…通信部、１４…画像情報入力部、１４ａ…入力端子、１５…画像情報選択部、１６…画像情報処理部、１６ａ…フレームメモリー、１７…画像投写部、１８…画像情報検出部、２１…光源、２２Ｒ，２２Ｇ，２２Ｂ…液晶ライトバルブ、２２ｉ…画素領域、２３…投写光学系、２４…ライトバルブ駆動部、１００…画像表示システム、ＮＷ…ネットワーク、Ｐ１…第１表示画像、Ｐ２…第２表示画像、Ｓｐ…投写面。
【図１】
2019201375.tif 000003
【図２】
2019201375.tif 000004
【図３】
2019201375.tif 000005
【図４】
2019201375.tif 000006
【図５】
2019201375.tif 000007
【図６】
2019201375.tif 000008
【図７】
2019201375.tif 000009
【図８】
2019201375.tif 000010